(57)【要約】【課題】キャッチャーの腰を保護し、また、激しいプレーをしても背中・腰が逆反りして怪我をするのを防止でき、安全で楽しくプレーできるプロテクターを提供することを目的とする。【解決手段】プロテクター本体１と、人体の腰27の後部を左右方向に覆う腰パット３と、を備える。腰パット３の内面に、複数の縦方向の膨出部が形成される。左右隣り合う膨出部の間には、上下方向へ連続する凹溝が形成されている。腰パット３の左右端部36，36に第１腰部バックル部材41，41が設けられると共に、プロテクター本体１の腰対応左右側部40，40に取付位置変更自在として面状ファスナをもって着脱される取着パット片６，６を備える。各取着パット片６に、各第１腰部バックル部材41と係止分離自在な第２腰部バックル部材42が付設される。【選択図】図１
2008119231.tif 000002
【特許請求の範囲】
【請求項１】
プロテクター本体（１）と、人体の腰（27）の後部を左右方向に覆う腰パット（３）と、を備え、該腰パット（３）の内面（50）に、複数の縦方向の膨出部（51）が形成され、左右隣り合う膨出部（51)(51）の間には、上下方向へ連続する凹溝（57）が形成されていることを特徴とするプロテクター。
【請求項２】
上記腰パット（３）の左右端部（36)(36）に第１腰部バックル部材（41)(41）が設けられると共に、上記プロテクター本体（１）の腰対応左右側部（40)(40）に取付位置変更自在として面状ファスナ（43)(44）をもって着脱される取着パット片（６)(６）を備え、各該取着パット片（６）に、各上記第１腰部バックル部材（41）と係止分離自在な第２腰部バックル部材（42）が付設された請求項１記載のプロテクター。
【請求項３】
上記腰対応左右側部（40)(40）に着脱される上記取着パット片（６）は、左右中間部位に、縦方向のステッチ部（45）が形成されている請求項２記載のプロテクター。
【請求項４】
上記第２バックル部材（42）は、上記取着パット片（６）に揺動自在に付設されている請求項２又は３記載のプロテクター。
【発明の詳細な説明】
【技術分野】
【０００１】
本発明は、スポーツ用プロテクターに関するものである。
【背景技術】
【０００２】
従来、野球やソフトボール等のスポーツでキャッチャーが使用するプロテクターとして、プロテクター本体の両肩部に肩ベルトを繋ぎ、また、プロテクター本体の腰部の左右側部を腰ベルトで繋いで、かつ、肩ベルトと腰ベルトとを上下方向のベルトで連結して、プロテクター本体をキャッチャーの上半身に着けるものが知られている（例えば、特許文献１参照）。
【特許文献１】実用新案登録第３０７０２４０号公報
【発明の開示】
【発明が解決しようとする課題】
【０００３】
キャッチャーが、従来のプロテクターを着用してプレーすると、ホームベースでのクロスプレー等の激しいプレーとなる場合に、背中や腰等が逆反りしてしまうこともあり、大怪我をする危険が大きい。また、キャッチャーは、立位、座位の姿勢が多いため、腰部を痛め易い。
【０００４】
そこで、本発明は、キャッチャーの腰を保護し、また、激しいプレーをしても背中・腰が逆反りして怪我をするのを防止でき、安全でプレーに専念できるプロテクターを提供することを目的とする。
【課題を解決するための手段】
【０００５】
上記目的を達成するために、本発明に係るプロテクターは、プロテクター本体と、人体の腰の後部を左右方向に覆う腰パットと、を備え、該腰パットの内面に、複数の縦方向の膨出部が形成され、左右隣り合う膨出部の間には、上下方向へ連続する凹溝が形成されている。
【０００６】
また、上記腰パットの左右端部に第１腰部バックル部材が設けられると共に、上記プロテクター本体の腰対応左右側部に取付位置変更自在として面状ファスナをもって着脱される取着パット片を備え、各該取着パット片に、各上記第１腰部バックル部材と係止分離自在な第２腰部バックル部材が付設されている。
【０００７】
また、上記腰対応左右側部に着脱される上記取着パット片は、左右中間部位に、縦方向のステッチ部が形成されている。
また、上記第２バックル部材は、上記取着パット片に揺動自在に付設されている。
【発明の効果】
【０００８】
本発明は、次のような著大な効果を奏する。
本発明に係るプロテクターは、人体の腰の後部を左右方向に覆う腰パットを備え、腰パットの内面に、複数の縦方向の膨出部が形成され、左右隣り合う膨出部の間には、上下方向へ連続する凹溝が形成されているので、激しいプレーでも、腰や背中が逆反りするのを防止でき、怪我を防ぐことができる。また、キャッチャーは、立位、座位のどちらの姿勢をする場合にも、腰パットが腰の後部から覆うので、腰痛になるのを抑えることができる。
また、凹溝によって、人体（ユニホーム）との間に隙間を形成するため通気性が非常に良く、プレー中の体温の上昇を抑えることができるので、着用者は気持ち良くプレーできる。また、腰パットが、複数の凹溝において腰の後部に沿って弯曲状に曲がるので、腰にフィットし易い。よって、キャッチャーは楽に着用でき、スムーズにプレーできる。
【発明を実施するための最良の形態】
【０００９】
以下、実施の形態を示す図面に基づき、本発明を詳説する。
図１は本発明に係るプロテクターの実施の一形態を示し、このプロテクターは、プロテクター本体１と、背保護パット２と、人体の腰27の後部を覆う腰パット３と、を具備し、野球やソフトボールのキャッチャーに着用される。プロテクター本体１の上側左右の肩掛用突出部11，11と背保護パット２の上側左右の肩対応突出部21，21とが着脱自在に連結され、かつ、プロテクター本体１の下側左右側部40，40と腰パット３の左右端部36，36とが着脱自在に連結され、かつ、腰パット３と背保護パット２とが、保持間隔を変更自在として、連結ベルト39で連結されている。
【００１０】
各部材について説明する。
先ず、図１〜図４において、プロテクター本体１は、胸部・腹部・腰部を覆うボディ部12と、ボディ部12の上部左右から上方へ一体に突出し人体の両肩28，28の前部に対応する略矩形状乃至弯曲状の肩掛用突出部11，11とを有する。各肩掛用突出部11は、その裏面（人体側の面）に、後述する背保護パット２連結用の取着パット片４が取付位置変更自在として着脱される面状ファスナ34が形成されている。この面状ファスナ34は、取着パット片４の面状ファスナ33よりも広く形成される。ボディ部12は、人体の腰27に対応する下側の左右側部40，40の裏面10に、後述する取着パット片６が取付位置変更自在として着脱される（取着パット片６の面状ファスナ43よりも広く形成された）面状ファスナ44が形成されている。
【００１１】
そして、ボディ部12は、裏面10に複数の左右方向又は斜め方向の突条部15…が形成されている。具体的には、複数（実施例は11条）の左右方向の突条部15Ａ…が、人体の肩甲骨70の下部70ａから腰椎73の上部にかけて対応する位置に設けられ、中間（実施例は上から４条目）の突条部15を最長として全体で仮想略菱形を成すように形成される。また、両肩甲骨70，70の下部70ａ，70ａに対応する部位に、左右方向内方へ上傾状の短突条部15Ｂ…が、形成されている。各突条部15は、横断面山型（円弧型）を有する。そして、上下隣り合う突条部15，15の間には、左右方向へ連続する（左右へ開放する）空気流通用の凹溝17が形成されている。プロテクター本体１は、突条部15と凹溝17を成す裏面材と、発泡ウレタン材と、シート状芯材（省略する場合もある）と、発泡ウレタン材と、表て面材とを積層したものである。
【００１２】
次に、背保護パット２は、人体の両肩28，28の後側部28ａ，28ａと、肩甲骨70の一部（背骨寄り領域70ｂ）と、後側部28ａ，28ａに相当する高さから肩甲骨70の下部70ａ付近に相当する高さの上下範囲Ｈの所定背骨領域８を覆うＴ字状乃至Ｙ字状に形成されている。具体的には、背保護パット２は、頸椎71と胸椎72の境界近傍部位から胸椎72の中間部位（上から６〜10番目に相当する部位）までを左右所定幅で覆う背保護部29と、背保護部29の左右上部に左右外方上傾状に一体に突設され人体の両肩28，28の後側部28ａ，28ａを保護する肩対応突出部21，21とを有する。各肩対応突出部21は略矩形状乃至弯曲形状を有する。また、背保護パット２の左右側辺部は、肩対応突出部21，21から背保護部29にかけて左右幅が小さくなるよう弯曲状に形成されている。
【００１３】
さらに、背保護パット２は、内面（人体側の面）に複数の左右方向の突条部が形成されている（図示省略）。複数の突条部は、両肩対応突出部21，21及び背保護部29にかけて全面に形成され、各突条部は、横断面山型（かまぼこ型）を有する。かつ、上下隣り合う突条部の間には、左右方向へ連続する空気流通用の凹溝が形成されている。背保護パット２は、突条部と凹溝を形成する内面材と、発泡ウレタン材と、シート状芯材（省略する場合もある）と、発泡ウレタン材と、外面材とを積層したものである。
【００１４】
また、背保護パット２は、第１（肩部）バックル部材が、肩対応突出部21，21の前端部近傍に、位置移動自在に付設されている。
さらに、背保護パット２は、各肩対応突出部21と背保護部29との境界近傍に、各肩対応突出部21を背保護部29に対して折曲自在とするステッチ部24が形成されており、背保護パット２は使用者の背中から肩にかけてフィットして着用される。ステッチ部24は、直線状に２列接近して縫製して形成される。また、背保護部29は、下部に、腰パット３と連結する連結ベルト39の上部が取着（縫製）されている。
【００１５】
次に、図１，図３において、４は、プロテクター本体１の各肩掛用突出部11に取付位置変更自在として面状ファスナ33，34をもって着脱される取着パット片であり、取着パット片４は、第１（肩部）バックル部材と係止分離自在な第２（肩部）バックル部材32が付設されている。具体的には、取着パット片４は、表て面の下半分部に、プロテクター本体１の面状ファスナ34と着脱自在な面状ファスナが形成され、かつ、表て面の上半分部に、第２バックル部材32が（着用状態での）後向き（後方から第１（肩部）バックル部材が着脱自在に抜差しされる状態）に付設されている。着用状態では、プロテクター本体１の突出部11が後方へ折れ曲がるので、取着パット片４も後側を向く。第２バックル部材32は、揺動自在として取着パット片４に付設（枢着）されており、人体の動きに対し揺動して、背保護パット２が身体の動きに柔軟に追従可能となる。
また、第２バックル部材32は、取着パット片４の外縁から突出しないように（外縁の内側に納まるように）付設されており、破損が防がれる。
なお、第２バックル部材32が、取着パット片４に、揺動自在でなく、固定されてもよい。
【００１６】
次に、図１，図２，図６〜図８において、腰パット３は、上下は腰椎73の上端近傍から下端近傍にかけて、かつ、左右は腰27の左右端にかけて覆う略矩形状を有する。さらには、腰パット３は、上辺が左右端から中央にかけて緩やかに上方突出状となり、下辺が左右端から中央にかけて緩やかに下方突出状となるように形成される。そして、腰パット３は、左右端部36，36に第１腰部バックル部材41，41が設けられる。
具体的には、腰パット３は、シート状外部材37と、内部材38とを袋状に合わせた状態で周囲を縫製して形成されている。内部材38は、内側から、（後述する）膨出部51…と凹溝57を成す内側のシート材56と、発泡ウレタン材59と、外側のシート材58とを積層して形成されたものである。さらに、本発明のプロテクターは、第１腰部バックル部材41，41が両端に固着されるゴムベルト46を具備する。
【００１７】
そして、腰パット３は、外部材37の左右両端を内部材38より短く形成しかつ縫製を省略して形成した差込部54，54が形成されている。ゴムベルト46は、一方の差込部54から他方の差込部54へと左右方向に通される。かつ、腰パット３は、各差込部54から左右方向外側に離間した位置において、内部材38に上下端を固着されたゴム紐等から成る（細長）抜止め用引掛部材55を有しており、ゴムベルト46は、内部材38と、左側の引掛部材55・外部材37・右側の引掛部材55との間に通される。そして、ゴムベルト46の端部に設けられた各第１腰部バックル部材41が引掛部材55に係止することで、不意に抜けるのが防がれる。
【００１８】
また、腰パット３は、背保護パット２と連結するための連結ベルト39が調節自在に保持される調節バックル52を上部中央部位に有すると共に、腰パット３は、外部材37と内部材38との縫製が省略されて内部材38の一部を露出させる切れ目53を、上部中央に有する。そして、調節バックル52は、切れ目53により露出した内部材38に付着された小シート片82に、取り付けられており、調節バックル52が、内部材38と外部材37との間に収納・取出自在である。
【００１９】
また、腰パット３は、複数の縦方向の膨出部51…を内面50に有し、左右隣り合う膨出部51，51の間には、上下方向へ連続する凹溝57が形成されている。各膨出部51は、正面視縦長略矩形状であり、かつ、横断面台形を有する。各膨出部51は、左右幅寸法Ｄ51が22mm〜27mmに、厚さ寸法Ｐ51が８mm〜12mmに形成され、凹溝57は、左右幅寸法Ｄ57が３mm〜５mmに形成される。凹溝57においては、内側と外側のシート材56，58が密着して縦方向に縫製されている。この腰パット３は、凹溝57…によって、人体（ユニホーム）との間に隙間を形成するため通気性がよくなると共に、腰パット３が、腰27の後部に沿って弯曲状に曲がってフィットし易い。
外部材37は、プロテクター本体１の表て面材（図示省略）と同様に、人工皮革、合成皮革、ポリエチレン、ナイロン、ポリエステル等から成る。また、内部材38の両シート材56，58も、外部材37と同じ材料から成る。
【００２０】
次に、図１，図３〜図５において、６は、プロテクター本体１の腰対応左右側部40に取付位置変更自在として面状ファスナ43，44をもって着脱される取着パット片である。各取着パット片６は、各第１腰部バックル部材41と係止分離自在な第２腰部バックル部材42が付設されている。
具体的には、取着パット片６は、表て面の左右方向内側部に、プロテクター本体１の面状ファスナ44と着脱自在な面状ファスナ43が形成され、かつ、表て面の外側部（図１の着用状態では側方向きとなる面）に、第２腰部バックル部材42が付設されている。第２腰部バックル部材42は、揺動自在として取着パット片６に付設（枢着）されており、人体の動きに対し揺動して、腰パット３が柔軟に追従可能となる。
【００２１】
また、第２腰部バックル部材42は、取着パット片６の外縁から突出しないように（外縁の内側に納まるように）付設されており、破損が防がれる。
また、取着パット片６は、左右方向中間部位に形成された縦方向のステッチ部45が形成され、腰パット３が使用者の腰27にフィットする。ステッチ部45は、背保護パット２のステッチ部24と同様に形成される。
なお、第２腰部バックル部材42は、取着パット片６に対し揺動しないように固定してもよい。
背保護パット２、腰パット３、各取着パット片４，６、プロテクター本体１は、外周に沿って、保護縁材が折返して挟み状に縫製されており、傷みにくい。
【００２２】
そして、図１において、本発明のプロテクターを着用した場合には、腰パット３が人体の腰27の後部を覆い、また、背保護パット２が所定背骨領域８を覆うため、クロスプレー等の激しい動きをしても、腰27や背中が逆反りするのを防止できる。また、キャッチャーは、立位、座位の姿勢が多いが、腰27を痛めるのを抑えることができる。
【００２３】
また、背保護パット２が、背中のうちの上述した所定背骨領域８を覆うため、ホームベース上でランナーが衝突してきた場合や、キャッチャーフライを捕球する際に仰向けに転倒した場合に、背保護パット２がクッションとなり、所定背骨領域８に与える衝撃を吸収するので、怪我が防がれる。また、打者がバットを空振りして振り抜いた際に、バットの先端がキャッチャーの背中に背後から強打する虞れがあるが、背保護パット２が保護して、怪我が防がれる。また、捕球時に前かがみで座位姿勢である場合に、ファールチップが人体の肩28の後側部28ａに直接当たるのも防止できる。これらのように、キャッチャーの背中や肩28の後側部28ａを保護し、プレー中の安全性が高まる。
【００２４】
そして、プロテクター本体１の突条部15…と背保護パット２の突条部（図示省略）が左右方向に形成されて、身体（のユニホーム）に引っ掛かるので、激しい動きに対しても、プロテクターが上下に揺れるのが防がれて、スムーズにプレーできる。また、背保護パット２の凹溝と、プロテクター本体１の凹溝17…は空気の流通性を良くして、人体の胸部・腹部と背中側の体熱が、左右方向へ逃げて、体温の上昇が抑えられる。
【００２５】
また、本発明のプロテクターによれば、着用者の体型に合わせた締め付け具合にしてプレーし易くできる。即ち、背保護パット２用の取着パット片４と、腰パット３用の取着パット片６を、プロテクター本体１に取付位置変更したり、さらに、連結ベルト39を調節バックル52に締付ける位置を変えて、腰パット３と背保護パット２の保持間隔を自由に変えることができる。
【００２６】
以上のように、本発明に係るプロテクターは、プロテクター本体１と、人体の腰27の後部を左右方向に覆う腰パット３と、を備え、腰パット３の内面50に、複数の縦方向の膨出部51が形成され、左右隣り合う膨出部51，51の間には、上下方向へ連続する凹溝57が形成されているので、激しいプレーでも、腰27や背中が逆反りするのを防止でき、怪我を防ぐことができる。また、キャッチャーは、立位、座位のどちらの姿勢をする場合にも、腰パット３が腰27の後部から覆うので、腰27が痛むのを抑えることができる。
また、凹溝57…によって、人体（ユニホーム）との間に隙間を形成するため通気性が非常に良く、プレー中の体温の上昇を抑えることができるので、着用者は気持ち良くプレーできる。また、腰パット３が、複数の凹溝57…において腰27の後部に沿って弯曲状に曲がるので、腰27にフィットし易い。よって、キャッチャーは楽に着用でき、スムーズにプレーできる。
【００２７】
また、腰パット３の左右端部36，36に第１腰部バックル部材41，41が設けられると共に、プロテクター本体１の腰対応左右側部40，40に取付位置変更自在として面状ファスナ43，44をもって着脱される取着パット片６，６を備え、各取着パット片６に、各第１腰部バックル部材41と係止分離自在な第２腰部バックル部材42が付設されているので、腰パット３の位置が、プロテクター本体１に対して柔軟に動いて、プレー中に、腰パット３を着用者の腰27の後部に確実に位置させることができる。よって、腰パット３の保護機能を確実に発揮させることができる。しかも、着用者（キャッチャー）はスムーズにプレーすることができる。
【００２８】
また、腰対応左右側部40，40に着脱される取着パット片６は、左右中間部位に、縦方向のステッチ部45が形成されているので、着用者の腰27に一層フィットし、着用者の動作をスムーズにすることができる。
【００２９】
また、第２バックル部材42は、取着パット片６に揺動自在に付設されているので、腰パット３が、着用者の腰27に柔軟にフィットし、安全性が一層高まる。そして、着用者はプレーに専念することができる。
【図面の簡単な説明】
【００３０】
【図１】本発明に係るプロテクターの実施の一形態を示す背面図である。
【図２】人体における背骨と肩甲骨の配置を説明する正面図である。
【図３】プロテクター本体と取着パット片を示す背面図である。
【図４】プロテクター本体の一部と取着パット片を示す要部背面図である。
【図５】取着パット片を示す正面図である。
【図６】腰パットを示す背面図である。
【図７】正面図である。
【図８】要部拡大横断面図である。
【符号の説明】
【００３１】
１  プロテクター本体
３  腰パット
６  取着パット片
27  腰
36  端部
40  側部
41  第１（腰部）バックル部材
42  第２（腰部）バックル部材
43  面状ファスナ
44  面状ファスナ
45  ステッチ部
50  内面
51  膨出部
57  凹溝
【図１】
2008119231.tif 000003
【図２】
2008119231.tif 000004
【図３】
2008119231.tif 000005
【図４】
2008119231.tif 000006
【図５】
2008119231.tif 000007
【図６】
2008119231.tif 000008
【図７】
2008119231.tif 000009
【図８】
2008119231.tif 000010